(57)【要約】      （修正有）【課題】簡易な構成でありながら安全かつ効率よくサーフボード表面等から掻き取られたワックスを再生できるワックス再生キットを提供する。【解決手段】 サーフボード表面等に塗布されたワックス層を掻き取って得られた使用済みワックスを湯せんして溶解させるための溶解用カップ１と、前記溶解用カップ１内に収容可能な大きさの袋状の網体からなる不純物こし器４と、前記溶解用カップ１で溶解したワックスを成型するためのシリコーンゴム製のワックス再生用型５とからなるワックス再生キット。【選択図】図１
0003179139.tif 000002
【実用新案登録請求の範囲】
【請求項１】
使用済みワックスを湯せんして溶解させるための溶解用カップと、前記溶解用カップ内に収容可能な袋状の網体からなる不純物こし器と、前記溶解用カップで溶解したワックスを成型するためのワックス再生用型とからなるワックス再生キット。
【請求項２】
使用済みワックスを湯せんして溶解させるための溶解用カップと、前記溶解用カップ内に収容可能な袋状の網体からなる不純物こし器と、前記溶解用カップで溶解したワックスを成型するためのワックス再生用型と、前記溶解用カップを収容して、溶解用カップ内の使用済みワックスを湯せんするための加熱容器とからなるワックス再生キット。
【請求項３】
サーフボード表面に塗布されたワックス層を掻き取って得られた使用済みワックスを湯せんして溶解させるための溶解用カップと、前記溶解用カップ内に収容可能な大きさの袋状の網体からなる不純物こし器と、前記溶解用カップで溶解したワックスを成型するためのシリコーンゴム製のワックス再生用型とからなるワックス再生キット。
【考案の詳細な説明】
【技術分野】
【０００１】
本考案は、主としてサーフボードの表面から掻き取られたワックスを再生して再使用するためのワックス再生キットに関するものである。
【背景技術】
【０００２】
従来より、ワックスの再生機として特許文献１記載の発明が提案されていた。この発明にかかるワックス再生機（１０）は、再生機本体（１２）と、使用済みのワックス成形物を加熱溶融する加熱溶融手段（１４）と、前記加熱溶融手段によって加熱溶融された流体ワックスから不純物を濾過するフィルター手段（１６）と、前記フィルター手段を通過した純化されたワックス流体を供給するワックス供給手段（１８）とを備えている。
【０００３】
前記発明によれば、使用済みのワックス成形物は、ケースの蓋体内に配置されて蓋体とケースとの空間内を送風機で強制的に循環される熱風で溶融するので、管理された温度の下で効率よくワックス成形物を溶融することができ、ワックスの成分の分離や劣化を生ずることなく、ワックス成形物を容易に溶融することができるという効果を奏する。
【先行技術文献】
【特許文献】
【０００４】
【特許文献１】特開２００１−２０４７４５号公報
【０００５】
前記特許文献１記載の発明は、歯科医が咬合検査に用いる咬合堤の如きワックス成形物の再生のために用いられるワックス再生機の改良に関するものであり、装置が大がかりであり構成も複雑であった。
【０００６】
そのため、ワックスの簡易な再生方法として、使用済みワックスをフライパン等に入れて、下部から直接火によって加熱する方法が行われていたが、この方法によれば、ワックスに高熱が加えられるため大量の煙とにおいが発生して作業環境が悪くなるとともに、ワックスが溶解しはじめると火が移って燃え上がり危険であるという問題点があった。
【考案の概要】
【考案が解決しようとする課題】
【０００７】
本考案は、主としてサーフボード表面から掻き取られたワックスを再使用するためのものであり、簡易な構成でありながら安全にかつ効率よくワックスを再生できるワックス再生キットを提供することを目的とする。
【課題を解決するための手段】
【０００８】
請求項１に記載の考案は、使用済みワックスを湯せんして溶解させるための溶解用カップと、前記溶解用カップ内に収容可能な袋状の網体からなる不純物こし器と、前記溶解用カップで溶解したワックスを成型するためのワックス再生用型とからなるワックス再生キットである。
【０００９】
請求項２に記載の考案は、使用済みワックスを湯せんして溶解させるための溶解用カップと、前記溶解用カップ内に収容可能な袋状の網体からなる不純物こし器と、前記溶解用カップで溶解したワックスを成型するためのワックス再生用型と、前記溶解用カップを収容して、溶解用カップ内の使用済みワックスを湯せんするための加熱容器とからなるワックス再生キットである。
【００１０】
請求項３に記載の考案は、サーフボード表面に塗布されたワックス層を掻き取って得られた使用済みワックスを湯せんして溶解させるための溶解用カップと、前記溶解用カップ内に収容可能な大きさの袋状の網体からなる不純物こし器と、前記溶解用カップで溶解したワックスを成型するためのシリコーンゴム製のワックス再生用型とからなるワックス再生キットである。
【考案の効果】
【００１１】
請求項１記載のワックス再生キットによれば、溶解用カップと不純物こし器とワックス再生用型とからなるため、キット全体が簡易な構成であり製作コストも安くなると共に、ワックスの再生作業が高度な技術を必要とせずかつ短時間で行えるため、子供から大人まで多くの人があらゆる場所で使用することができる。
ワックスの溶解を湯せんで行うため、安全であると共に臭気と煙が発生せず清潔で不快感なく作業ができる。
また、ワックス再生用型と不純物こし器は、溶解用カップの内部に収納できるためキットの持ち運びや収納に便利である。
さらに本考案のワックス再生キットは、今までは廃棄していた資源を再利用できるというメリットもありエコロジーでありリサイクル運動となる。
【００１２】
請求項２記載のワックス再生キットによれば、前記請求項１記載の効果に加えて、前記溶解用カップ内の使用済みワックスを湯せんするための加熱容器を備えたから、特に多くの人が同時に再生作業ができるため、大量のワックスを再生するときに有効である。
【００１３】
請求項３記載のワックス再生キットによれば、使用済みワックスとして、サーフボードの表面に塗布されたワックス層を掻き取って得られワックスを使用するため、サーフィンが行われる海岸で使用するとワックス屑を廃棄することがなくなり海岸が汚れないと共に、効率的なリサイクルが行われ、作業をする者にもリサイクル運動の意識が高まるのである。
ワックス再生用型をシリコーンゴム製としたため、ワックスが容易にはがれると共に、型から剥離のためのオイル等を必要とせずゴミなどが生じない。
【図面の簡単な説明】
【００１４】
【図１】ワックス再生キットの実施形態１の構成部品の斜視図
【図２】ワックス再生作業過程の説明図
【図３】ワックス再生キットの実施形態２の構成部品の斜視図
【考案を実施するための形態】
【００１５】
本考案の実施形態１は図１、図２に示すもので、溶解用カップ１と、不純物こし器４と、ワックス再生用型５からなる。
【００１６】
溶解用カップ１は、使用済みワックスを湯せんして溶解させるためのであり、その材質は本実施形態では陶器としたが、これ以外にもアルミニウム、鉄、銅、ステンレスあるいはホーローなどが使用できる。
大きさは直径１０ｃｍ、高さ１２ｃｍ程度の円筒形状のカップであるが、大きさ形状もこれに限定されず任意に決定できる。
【００１７】
この溶解用カップ１には、開口部に蓋２を有していて、加熱時には蓋２を使用する。図中符号２９は加熱時に溶解用カップ１の空気を抜くための空気穴である。
また、溶解用カップ１の周囲には、必要に応じて着脱自在なバンド３を取り付けることもできる。
【００１８】
不純物こし器４は、袋状の網体４１からなり、網体４１の上部に円形の補強用金具４２と取っ手４３を構成してある。この不純物こし器４は、溶解対象のワックスが使用済みワックスのため、必ずゴミ等の不純物が付着しており、それを除去するために用いられるものである。
前記網体４１の網目の粗さは、緑茶の茶こし網に使用されている程度の粗さが適当であり、その大きさは前記溶解用カップ１内に収容可能な大きさである。
【００１９】
ワックス再生用型５は、前記溶解用カップ１で溶解したワックス２１を成型するためのものであり、シリコーンゴムで作られている。
このワックス再生用型５の大きさ、形状あるいは材質は、本実施形態に限定されず任意に決定できる。
【００２０】
上記のように構成した実施形態１を用いたワックスの再生方法を図２に基づいて説明する。
【００２１】
ステップ１：まずサーフボード表面（図示せず）から掻き取った使用済みワックス２０を不純物こし器４に入れる（Ｓ１）。
【００２２】
ステップ２：前記不純物こし器４を溶解用カップ１の内部にセットする（Ｓ２）。
【００２３】
ステップ３：溶解用カップ１に蓋２をして、湯の入っている加熱容器９に入れる（Ｓ３）。この湯せんを開始してから湯の温度が５０℃程度で使用済みワックス２０は溶け始める。そして使用済みワックス２０が２００グラム程度の場合は、湯が沸騰すると１０分程度で完全に溶けて溶解用カップ１内に溶けだす。このとき使用済みワックス２０内に含まれる不純物２２は溶けず、かつ網体４１の網目を通過せずに不純物こし器４内に残る。
【００２４】
ステップ４：次に不純物こし器４を溶解用カップ１から外して不純物２２だけを取り出せば、溶解用カップ１内には溶けたワックス２１が残る（Ｓ４）。
【００２５】
ステップ５：この溶けたワックス２１をシリコーンゴム製のワックス再生用型５に流し込む（Ｓ５）。
このとき、ワックス２１に色素や香料を加えることができ、これによって好みの色彩や香りのついた自分だけのワックスを得ることができる。
【００２６】
ステップ６：このワックス２１が冷えたら、ワックス再生用型５から外してワックス２１だけ取り出す（Ｓ６）。このときワックス再生用型５がシリコーンゴム製のためワックス２１は型より迅速にかつきれいにとることができる。
【００２７】
上述のように本実施形態では、使用済みワックス２０の加熱を湯せんで行うため、加熱容器９の内側は１００℃以上にならないため安全である。また直接ワックスを火にかけないためワックスは焦げず、臭気と煙も発生せず清潔で快適かつ安全な環境で作業ができる。
【００２８】
本実施形態のワックス再生キットを収納する時には、ワックス再生用型５を複数個重ねて不純物こし器４内に収納し、その後この不純物こし器４を溶解用カップ１の内部に収納し蓋２をする。これによってキット全体が一つにまとまり、収容に場所を取らず、携帯にも便利である。    
【００２９】
図３は本考案の実施形態２の斜視図である。  
本実施形態は、溶解用カップ３０と、不純物こし器４０と、ワックス再生用型５と、加熱容器５０と、加熱手段６０からなるものであり、大量の使用済みワックス２０を一度に再生作業できるものである。
本実施形態は、前記実施形態１と比較し、構成要素が大型であるが、作用、効果は同様のためその詳細な説明は省略する。
【００３０】
本実施形態では、多くの人が集めた大量の使用済みワックス２０を網体４１にいれて、溶解用カップ３０に収容した後、湯の入っている加熱容器５０にいれて湯せんする。その後溶解したワックスをワックス再生用型５に移して冷やすのである。
【００３１】
前記実施形態によれば、湯せんのための大型の加熱容器５０と加熱手段６０を備えたから、特に海岸でのサーフィン大会の会場などで多くの人が集まる場所で同時に大量のワックスを再生するとき等に有効であり、リサイクル効果も大きいのである。
【符号の説明】
【００３２】
１  溶解用カップ          ２  蓋       ３  バンド
４  不純物こし器          ５  ワックス再生用型
２０  使用済みワックス    ２１  ワックス
４１  網体
３０  溶解用カップ        ４０  不純物こし器  
５０  加熱容器            ６０  加熱手段
【図１】
0003179139.tif 000003
【図２】
0003179139.tif 000004
【図３】
0003179139.tif 000005